(57)【要約】【課題】  従来の脱湿器では空気中の水分を吸収するのみで押入れ等空気の移動の少ない個所では壁面等に黴が発生しこれによる悪臭が生じ易い。【解決手段】  容器１内に濾過層として塩化カルシウム粒子の上層６と固形の有機酸の下層７を設け、底板３上に希釈された亜塩素酸アルカリの層８を設け容器上部より空気を流通させて発生する二酸化塩素ガスを大気中に放出させる。固形の有機酸層７は亜塩素酸アルカリ層８上に積層させてもよい。【選択図】  図１
2006051485.tif 000002
【特許請求の範囲】
【請求項１】
上部が開口され側壁板と底板とよりなる容器において、上記開口には通気性膜が取り付けられ、容器内には空気を流通する濾過層が設けられ、該濾過層は多孔板上に塩化カルシウム粒子の上層と固形の有機酸の下層が形成されてなり、底板上には希釈された亜塩素酸アルカリの層が形成されていることを特徴とする脱湿、防黴及び防臭用容器。
【請求項２】
上部が開口され側壁板と底板とよりなる容器において、上記開口には通気性膜が取り付けられ、容器内には空気を流通する濾過層が設けられ、該濾過層は多孔板上に塩化カルシウムの層が形成されてなり、底板上には固形の有機酸の上層と希釈された亜塩素酸アルカリの下層が形成されていることを特徴とする脱湿、防黴及び防臭用容器。
【請求項３】
固形の有機酸がクエン酸、リンゴ酸、フマル酸、コハク酸より選ばれた請求項１又は２に記載の容器。
【請求項４】
担体が酸化チタン、セピオライト、珪藻上、モンモリロナイト、ゼオライト、タルクより選ばれた請求項１〜３の何れかに記載の容器。
【発明の詳細な説明】
【技術分野】
【０００１】  本発明は、押入れ、洋服ダンス、台所、居間、便所等で使用される脱湿、防黴及び防臭用容器に関するものである。
【背景技術】
【０００２】  従来、押入れ等で使用される一般的な脱湿器は、図３に示すように、容器１が側壁板２と底板３で構成され、内部には塩化カルシウム粒子６を堆積した多孔板５が設けられている。湿った空気は上部より通気性膜４を通って容器内に流入し、塩化カルシウム粒子６により水分を吸収され、この水は多孔板５を通って底板３上に貯まるようになっている。
【発明の開示】
【発明が解決しようとする課題】
【０００３】  本発明が解決しようとする問題点は、上記の脱湿用容器によれば、押入れ等の水分は吸収するが、空気の移動の少ない押入れ等では壁面に黴が発生し、これによる悪臭が生じて布団等に付着することが多い。
【課題を解決するための手段】
【０００４】  本発明は、以上の問題点を解決するためのものであって、すなわち上部が開口され側壁板と底板とよりなる容器において、上記開口には通気性膜が取り付けられ、容器内には空気を流通する濾過層が設けられ、該濾過層は多孔板上に塩化カルシウム粒子の上層と固形の有機酸の下層が形成されてなり、底板上には希釈された亜塩素酸アルカリの層が形成されていることを特徴とする脱湿、防黴及び防臭用容器である。また本発明は、上部が開口され側壁板と底板とよりなる容器において、上記開口には通気性膜が取り付けられ、容器内には空気を流通する濾過層が設けられ、該濾過層は多孔板上に塩化カルシウム粒子の層が形成されてなり、底板上には固形の有機酸の上層と希釈された亜塩素酸アルカリの下層が形成されていることを特徴とする脱湿、防黴及び防臭用容器である。【０００５】  固形の有機酸としては蓚酸、クエン酸、リンゴ酸、フマル酸、コハク酸等の結晶が挙げられるが、食品添加物の点から蓚酸を除くクエン酸、リンゴ酸、フマル酸、コハク酸が好ましい。またこれらの有機酸の結晶は不織布の袋に入れて使用することもできる。亜塩素酸アルカリとしては亜塩素酸ナトリウム、亜塩素酸カリウム、亜塩素酸リチウム等が挙げられるが亜塩素酸ナトリウムが好ましい。亜塩素酸ナトリウムは濃度が２５重量％以上になると毒劇物となるので、結晶（固形）を用いる場合には希釈する粉末が必要で硫酸ナトリウムや塩化カルシウムを用いて２５重量％以下になるよう希釈して使用する。また亜塩素酸ナトリウムの水溶液を使用する場合は、その水溶液を含浸担持させる担体が必要である。このような担体としては酸化チタン、セピオライト、珪藻土、モンモリロナイト、ゼオライト、タルク等が挙げられる。このような希釈物を使用することにより亜塩素酸ナトリウムの濃度を毒劇物としての安全基準である２５重量％以下に保持することができる。【０００６】  また容器上部の開口に取り付けられた通気性膜としては撥水性の膜、例えば材質をフッ素樹脂で構成した膜等が好ましい。なお濾過層を２段に設け、それぞれの多孔板上に上段は塩化カルシウム粒子、下段は固形の有機酸を別個に堆積させてもよい。
【発明を実施するための最良の形態】
【０００７】  本発明容器の構成とその機能を説明すると、図１において容器１は側壁板２と底板３で構成され、上部は開口して通気性膜４が取り付けられている。容器１の内部には側壁板２に支持された濾過層が設けられ、この濾過層は多孔板５上に塩化カルシウム粒子６よりなる上層と固形の有機酸７よりなる下層とより形成されている。底板３上には亜塩素酸アルカリの希釈物８が層状に堆積されている。【０００８】  いま、水分を含む湿潤な空気は通気性膜４を通って容器１に入り、濾過層上層の塩化カルシウム粒子６に水分を吸収され、濾過層下層の固形の有機酸７を通過し多孔板５を通して底板３上に酸性の水滴として落下する。底板３上には亜塩素酸アルカリの希釈物８が層状に堆積されているので、亜塩素酸アルカリと酸性水との反応により、ｐＨが低下して二酸化塩素ガスが遊離し、この二酸化塩素ガスは空気の通ってきたコースと逆の方向に向けて移動し、二酸化塩素ガスのみが通気性膜４を通して大気中に放出される。【０００９】  図２は、本発明容器１の他の例を示し、多孔板５上には塩化カルシウム粒子６の層のみが形成され、底板３上に固形の有機酸７よりなる上層と亜塩素酸アルカリ希釈物８よりなる下層が形成されている。この容器には、亜塩素酸アルカリ希釈物と固形の有機酸が直接接触されているので効率良く二酸化塩素ガスを発生させることができる。以下示す実施例において組成％はいずれも重量％である
【実施例１】
【００１０】  図２に示す容器を使用して実験を行った。亜塩素酸ナトリウム（７６％、粒状結晶）１０ｇを無水硫酸ナトリウム２２ｇに希釈、混合して２３．７５％の亜塩素酸ナトリウムを造った。この粒状混合物を容器１（１３ｃｍ×７．５ｃｍ×高さ９ｃｍ）の底板３上に下層８として堆積させた。次に５ｃｍ×９ｃｍ×厚み１ｍｍの不織布製の袋に無水クエン酸１０ｇ（粒状）を充填してヒートシールを行い、上層７として堆積させた。別に塩化カルシウムの粒状体５０ｇを、底板より５ｃｍの高さに設けた多孔板５上に層６として堆積させた。通気性膜４はフッ素系のガス透過膜を容器の開口部に接着剤を用いて接着し使用した。２日目には空気中の水分を吸着し二酸化塩素濃度５ｐｐｍを表示した。この測定は通気性膜の上１０ｍｍの高さ付近の空気を北川式検知管を用いて行った。以下同様にして二酸化塩素濃度を測定したところ１０日後１５ｐｐｍ、２０日後１５ｐｐｍ、３０日後１５ｐｐｍ、５０日後１２ｐｐｍであった。【００１１】  上記と同様な容器を約６畳程度のレストラン厨房の棚に１個と床に２個設置し、鼠及びゴキブリの忌避効果について試験を行った。鼠についてはその形跡で見て観察し、ゴキブリについては捕獲器（商品名ゴキブリホイホイ）を設置し、ゴキブリが接着剤にくっ付いた結果を観察しながら、忌避効果について確認した。設置１日目は吸水も少なく二酸化塩素は発生しておらないので、鼠も食物を漁った形跡があり、ゴキブリは４匹捕獲した。２日目には鼠の形跡は見られず、またゴキブリも捕獲されなかった。この効果は２．５ヶ月追跡試験を行ったが非常に良好な結果を得た。設置前は毎日ゴキブリは２〜５匹捕獲していたのでその効果の大きいことが認められる。
【実施例２】
【００１２】  亜塩素酸ナトリウム（７６％、粒状結晶）１８ｇを無水塩化カルシウム４１ｇに希釈、混合して２２．８８％の亜塩素酸ナトリウムを造り、固形有機酸としてフマル酸１５ｇ（粒状）を使用した以外は実施例１と同様の操作で経過を測定した。二酸化塩素濃度は２日後で１０ｐｐｍ、１０日後２５ｐｐｍ、２０日後３５ｐｐｍ、３０日後３５ｐｐｍ、４０日後３５ｐｐｍ、５０日後３０ｐｐｍであった。【００１３】  浴室（幅１．６ｍ×奥行き１．６ｍ×高さ２．３ｍ）内の棚（高さ０．８ｍ）に上記実験に使用したものと同様の容器を１個設置し、防黴効果と消臭効果を確認した。日常は黴取り剤を１〜１．５ヶ月に１回使用していたが、設置後は全体に黴の発生も無く、特にこれまでタイルとタイルとの間に発生していた黴の発生も無く、快適な室内環境が得られた。またその効果は、容器に水が満たされる３ヶ月間有効に作用した。
【実施例３】
【００１４】  図１に示す容器を使用して実験を行った。セピオライト粉末３０ｇに２５％亜塩素酸ナトリウム水溶液３０ｇを含浸させた。得られた混合物を容器１の底板３上に層８として堆積させた。次にＤＬ−リンゴ酸９ｇを実施例１と同様の大きさの不織布袋に充填し、ヒートシールを行い多孔板５の上に下層７として堆積し、その上部には塩化カルシウム粒状体５０ｇを上層６として堆積させた。通気性膜４は高分子多孔膜（液体は透過せずその成分が選択的にガス蒸気として透過できる膜）を使用し、それ以外は実施例１と同様の操作で経過を測定した。この時の試験場所としては下駄箱（幅１ｍ×奥行き０．５ｍ×高さ０．９ｍ）内に容器を設置した。二酸化塩素濃度は２日後５ｐｐｍで発生と同時に内部の靴の汗の臭気は無くなりその効果が確認された。二酸化塩素濃度は１０日後５ｐｐｍ、２０日後８ｐｐｍ、３０日後８ｐｐｍ、４０日後１０ｐｐｍ、５０日後８ｐｐｍであった。また革靴の表面に発生していた白黴（鞭毛菌の１種）は見られず非常に良好な結果が得られた。この効果は容器に水が満たされる３．５ヶ月間有効に働き、また容器を撤去後２ヶ月においても黴の発生は見られなかった。
【発明の効果】
【００１５】  本発明によれば、湿潤な空気は容器内に入り、塩化カルシウム粒子により脱湿され、この水分は固形の有機酸と接触して酸性水となり、さらに亜塩素酸アルカリの希釈体と接触して二酸化塩素ガスを発生する。この二酸化塩素ガスは通気膜を通って大気中に放出される。二酸化塩素ガスは、殺菌力が強く脱臭、防黴、防臭効果も高く、このような容器を使用することにより容易にかつ定常的に発生させることができる。すなわちこの方法によれば、一般家庭の風呂場の防黴及び消臭や、台所、居間、玄関、便所、洗面所、洋服ダンス、クローゼット、押入れ等の脱湿、防黴、脱臭或いは消臭に効果を示す。空気の移動の少ない冬季の押入れや応接セットの裏側の防黴に対し非常に有効である。工業用としては、その場所に合った容量の容器を造り、例えば外食産業、食品化学工場、食堂、軽食店、喫茶店の厨房や鼠、ゴキブリ等の発生個所に設置し、臭気による忌避効果と周辺の脱湿，防黴、脱臭及び消臭、殺菌効果を得ることができる。
【図面の簡単な説明】
【００１６】
【図１】  本発明容器の１例を示す略断面図。
【図２】  本発明容器の他の例を示す略断面図。
【図３】  従来の一般的な脱湿器の略断面図。
【符号の説明】
【００１７】１  容器
２  容器の側壁板
３  容器の底板
４  通気性膜
５  多孔板
６  塩化カルシウム粒子
７  固形有機酸
８  亜塩素酸アルカリ希釈物
【図１】
2006051485.tif 000003
【図２】
2006051485.tif 000004
【図３】
2006051485.tif 000005